【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
ワイヤレスネットワーク中のワイヤレス通信のためのアクセスポイント（ＡＰ）中で用いられる方法において、
１組のプロセッサを用いて、前記ワイヤレスネットワークのアクセス端末（ＡＴ）に対するスケジューリングコードを実行することと、
前記スケジューリングコードをメモリ中に記憶することと
を含み、前記プロセッサは、前記ＡＴに関して、前記ワイヤレスネットワークの非担当ＡＰに関係付けられており、
前記コードは、前記非担当ＡＰに関係付けられている前記プロセッサに、
前記ＡＴに対して担当ＡＰへのアップリンク通信を割り当て、スケジューリングメッセージ中で前記担当ＡＰへの前記アップリンク通信の割当てを指定することと、
前記ＡＴまたは前記ＡＴを担当するセルへの前記スケジューリングメッセージの送信を開始することと
を行わせるものであり、ここにおいて、前記非担当ＡＰに関係付けられている前記プロセッサが前記ＡＴに対して前記担当ＡＰへの前記アップリンク通信を割り当てることは、前記ＡＴを担当する前記セル、または、それに隣接したセル、に関して取得されたワイヤレスチャネルデータに基づいている、方法。
【請求項２】
前記ＡＴまたは担当セルに対する識別子（ＩＤ）を、前記スケジューリングメッセージ内で指定することをさらに含む請求項１記載の方法。
【請求項３】
前記ワイヤレスネットワークの、前記ＡＴまたは第２のＡＴを通して、無線（ＯＴＡ）で前記スケジューリングメッセージを前記担当セルにルーティングすることをさらに含む請求項２記載の方法。
【請求項４】
前記ＡＴまたは第２のＡＴは、前記識別子から前記スケジューリングメッセージの宛先を決定する請求項３記載の方法。
【請求項５】
ＡＴのトラフィックフローに対する優先順位、または、前記担当セルと干渉するセルのトラフィックフローに対する優先順位のうちの少なくとも１つを、前記スケジューリングメッセージに含めることをさらに含み、
前記担当セルは、前記スケジューリングメッセージをデコードし、前記ＡＴのトラフィックフローに対する優先順位に基づいて、前記割り当てられた通信に従うか、前記割り当てられた通信を修正するか、または、無視し、あるいは、
前記担当セルは、前記干渉トラフィックフローの優先順位に基づいて、前記割り当てられた通信に従うか、前記割り当てられた通信を修正するか、または、無視する請求項１記載の方法。
【請求項６】
アップリンクマクロダイバーシティに対する複数アンテナ係数を発生させることと、
バックホールネットワークを通して、前記係数を、それぞれの対応するＡＰに転送すること、または、前記ワイヤレスネットワークの、１つ以上のＡＴを介して、ＯＴＡで、前記係数を、前記それぞれのＡＰにルーティングすること、とをさらに含む請求項１記載の方法。
【請求項７】
前記割り当てられた通信に対して、アップリンクチャネルリソース、変調またはコーディングのスキーム、送信電力、アンテナ係数、空間多重化モード、または、送信ダイバーシティを、前記スケジューリングメッセージ中で指定することをさらに含む請求項１記載の方法。
【請求項８】
前記ワイヤレスチャネルデータを取得することは、前記ワイヤレスネットワークの、前記ＡＴまたは第２のＡＴにより提供されるアップリンクメッセージを受信およびデコードすることをさらに含む請求項１記載の方法。
【請求項９】
前記ワイヤレスチャネルデータから、チャネル品質データ、ノードダイバーシティデータ、または、干渉関連のデータを取得することをさらに含む請求項１記載の方法。
【請求項１０】
前記スケジューリングメッセージに対してネットワーク割当てブロック（ＮＡＢ）メッセージを用いることと、ＮＡＢチャネルを介して前記ＡＴに、または、バックホールネットワークを介して前記担当セルに、前記ＮＡＢの送信を開始することとをさらに含む請求項１記載の方法。
【請求項１１】
ワイヤレスネットワーク中のワイヤレス通信のための装置において、
前記ワイヤレスネットワークに対して、集中化したアップリンクスケジューリングコードを実行するプロセッサであって、前記プロセッサは、前記ワイヤレスネットワークのＡＴに関して、前記ワイヤレスネットワークの非担当ＡＰに関係付けられており、前記スケジューリングコードは、前記非担当ＡＰに関係付けられている前記プロセッサに、
前記ＡＴに対して担当ＡＰへのアップリンク通信を割り当てることと、
スケジューリングメッセージ中に前記担当ＡＰへの前記アップリンク通信の割当てをエンコードすることと
を行わせるものである、プロセッサと、
ＯＴＡで、前記スケジューリングメッセージを、前記ＡＴを担当するセルに転送する送信機と
を具備し、ここにおいて、前記非担当ＡＰに関係付けられている前記プロセッサが前記ＡＴに対して前記担当ＡＰへの前記アップリンク通信を割り当てることは、前記ＡＴを担当する前記セル、または、それに隣接したセル、に関して取得されたワイヤレスチャネルデータに基づいている、装置。
【請求項１２】
前記プロセッサは、前記ＡＴに対するＩＤまたは前記担当セルに対するＩＤを、前記スケジューリングメッセージ内で指定する請求項１１記載の装置。
【請求項１３】
前記送信機は、前記ワイヤレスネットワークの、前記ＡＴまたは第２のＡＴを介して、前記スケジューリングメッセージを前記担当セルにルーティングする請求項１２記載の装置。
【請求項１４】
前記ＡＴまたは第２のＡＴは、前記ＩＤによって前記担当セルを識別する請求項１３記載の装置。
【請求項１５】
ＡＴのトラフィックフローに対する優先順位、または、前記担当セルと干渉するセルのトラフィックフローに対する優先順位のうちの少なくとも１つを、前記スケジューリングメッセージ内に含める重要モジュールをさらに具備し、
前記担当セルは、前記スケジューリングメッセージをデコードし、前記ＡＴのトラフィックフローに対する優先順位に基づいて、前記割り当てられた通信に従うか、前記割り当てられた通信を、修正するか、または、無視し、あるいは、
前記担当セルは、前記干渉トラフィックフローの優先順位に基づいて、前記割り当てられた通信に従うか、前記割り当てられた通信を、修正するか、または、無視する請求項１１記載の装置。
【請求項１６】
アップリンクマクロダイバーシティに対する複数アンテナ係数を計算する調整モジュールをさらに具備し、
前記送信機は、それぞれのＡＰに、ＯＴＡで、またはバックホールネットワークを介して、前記係数をルーティングする請求項１１記載の装置。
【請求項１７】
前記プロセッサは、前記割り当てられた通信に対して、アップリンクチャネルリソース、変調またはコーディングのスキーム、送信電力、アンテナ係数、空間多重化モード、あるいは、送信ダイバーシティを、前記スケジューリングメッセージ内で指定する請求項１１記載の装置。
【請求項１８】
前記担当セルに関係するアップリンクメッセージを、ＯＴＡで取得する受信機をさらに具備する請求項１１記載の装置。
【請求項１９】
前記受信機は、前記デコードされたアップリンクメッセージから、チャネル品質データ、ノードダイバーシティデータ、または、干渉関連のデータを取得する請求項１８記載の装置。
【請求項２０】
前記送信機は、前記スケジューリングメッセージをＮＡＢメッセージに束ねて、ＮＡＢチャネルを通して、前記ＮＡＢメッセージを前記ＡＴに送信する請求項１１記載の装置。
【請求項２１】
ワイヤレスネットワーク中のワイヤレス通信のための装置において、
１組のプロセッサを用いて、前記ワイヤレスネットワークのＡＴに対して担当ＡＰへのアップリンク通信を割り当てる手段であって、前記プロセッサは、前記ＡＴに関して、前記ワイヤレスネットワークの非担当セルに関係付けられている、割り当てる手段と、
スケジューリングメッセージ中で前記担当ＡＰへの前記アップリンク通信の割当てを指定する手段と、
前記ＡＴまたは前記ＡＴを担当するセルへの前記スケジューリングメッセージの送信を開始する手段と  
を具備し、ここにおいて、前記非担当セルに関係付けられている前記プロセッサが前記ＡＴに対して前記担当ＡＰへの前記アップリンク通信を割り当てることは、前記ＡＴを担当する前記セル、または、それに隣接したセル、に関して取得されたワイヤレスチャネルデータに基づいている、装置。
【請求項２２】
ワイヤレスネットワーク中のワイヤレス通信に対して構成されている少なくとも１つのプロセッサにおいて、
前記ワイヤレスネットワークのＡＴに対して担当ＡＰへのアップリンク通信を割り当てる第１のモジュールであって、前記プロセッサは、前記ＡＴに関して、前記ワイヤレスネットワークの非担当セルに関係付けられている、第１のモジュールと、
スケジューリングメッセージ中で前記担当ＡＰへの前記アップリンク通信の割当てを指定する第２のモジュールと、
前記ＡＴまたは前記ＡＴを担当するセルへの前記スケジューリングメッセージの送信を開始する第３のモジュールと
を具備し、ここにおいて、前記非担当セルに関係付けられている前記プロセッサが前記ＡＴに対して前記担当ＡＰへの前記アップリンク通信を割り当てることは、前記ＡＴを担当する前記セル、または、それに隣接したセル、に関して取得されたワイヤレスチャネルデータに基づいている、少なくとも１つのプロセッサ。
【請求項２３】
コンピュータ読取り可能記憶媒体において、
コンピュータに、ワイヤレスネットワークのＡＴに対して、担当ＡＰへのアップリンク通信を割り当てさせるための第１の組のコードであって、前記コンピュータは、前記ＡＴに関して、前記ワイヤレスネットワークの非担当セルに関係付けられている、第１の組のコードと、
前記コンピュータに、スケジューリングメッセージ中で前記担当ＡＰへの前記アップリンク通信の割当てを指定させるための第２の組のコードと、
前記コンピュータに、前記ＡＴまたは前記ＡＴを担当するセルへの前記スケジューリングメッセージの送信を開始させるための第３の組のコードと
を含み、ここにおいて、前記非担当セルに関係付けられている前記コンピュータが前記ＡＴに対して前記担当ＡＰへの前記アップリンク通信を割り当てることは、前記ＡＴを担当する前記セル、または、それに隣接したセル、に関して取得されたワイヤレスチャネルデータに基づいている、コンピュータ読取り可能記憶媒体。
【請求項２４】
ワイヤレスネットワーク中のワイヤレス通信を容易にするアクセス端末（ＡＴ）中で用いられる方法において、
少なくとも１つのプロセッサを用いて、前記ワイヤレスネットワーク内の、担当基地局と、非担当ワイヤレスデバイスとの、それぞれのワイヤレス信号を分析することと、
少なくとも１つのアンテナを用いて、前記非担当ワイヤレスデバイスから、前記ＡＴに対する前記担当基地局へのアップリンク通信の割当てを含むスケジューリングメッセージを取得することと、
前記スケジューリングメッセージにおいて識別される、前記ワイヤレスネットワークの担当セル内での前記ＡＴに対する前記担当基地局への前記アップリンク通信の割当ての実現を容易にすることと
を含み、ここにおいて、前記担当基地局への前記アップリンク通信は、前記非担当ワイヤレスデバイスに関係付けられている１組のプロセッサによって前記ＡＴに対して割り当てられ、前記ワイヤレスネットワークの前記担当セル、または、それに隣接したセル、に関して取得されたワイヤレスチャネルデータに基づいている、方法。
【請求項２５】
前記スケジューリングメッセージをデコードすることと、前記スケジューリングメッセージから、基地局ＩＤまたはＡＴのＩＤを抽出することとをさらに含む請求項２４記載の方法。
【請求項２６】
前記ＩＤが前記ワイヤレスネットワークの隣接セルに対応する場合、前記スケジューリングメッセージを前記隣接セルのＡＰに転送することをさらに含む請求項２５記載の方法。
【請求項２７】
前記ＩＤが前記担当セルに対応する場合、前記スケジューリングメッセージを前記担当セルに転送することをさらに含む請求項２５記載の方法。
【請求項２８】
前記ＩＤが前記少なくとも１つのアンテナに関係付けられている識別子に対応する場合、前記アップリンクの割当てを実現することをさらに含む請求項２５記載の方法。
【請求項２９】
前記それぞれのワイヤレス信号を分析することは、前記担当基地局と、非担当ワイヤレスデバイスとの、制御チャネル信号を分析することをさらに含む請求項２４記載の方法。
【請求項３０】
前記分析から、ワイヤレス品質またはワイヤレス干渉の推定を取得することと、
前記推定を前記非担当ワイヤレスデバイスに転送して、前記品質または干渉に基づいて、前記アップリンク送信の割当てを容易にすることとをさらに含む請求項２４記載の方法。
【請求項３１】
前記スケジューリングメッセージにおいて識別される、割り当てられている複数アンテナ通信のそれぞれのアップリンク送信ストリームを識別することをさらに含む請求項２４記載の方法。
【請求項３２】
少なくとも１つの識別された送信ストリームを送信して、前記複数アンテナ通信を実現することをさらに含む請求項３１記載の方法。
【請求項３３】
前記スケジューリングメッセージから、前記担当セルの通信に対する優先順位を抽出することと、
前記優先順位を前記担当セルに転送して、前記アップリンクの割当ての実現を容易にすることとをさらに含む請求項２４記載の方法。
【請求項３４】
前記スケジューリングメッセージは、ＮＡＢメッセージとして、またはＮＡＢチャネルを通して受信され、
前記スケジューリングメッセージ、または、そのデコードされた部分は、アップリンクＮＡＩチャネルを介して前記担当セルにルーティングされる請求項２４記載の方法。
【請求項３５】
ワイヤレスネットワーク中のワイヤレス通信を容易にする装置において、
前記ワイヤレスネットワーク内の、担当基地局と、非担当ワイヤレスデバイスとの、それぞれのワイヤレス信号を分析する少なくとも１つのプロセッサと、
ワイヤレスデータを送り、受信するための少なくとも１つのアンテナであって、前記非担当ワイヤレスデバイスから、前記ワイヤレスネットワークのＡＴに対する前記担当基地局へのアップリンク通信の割当てを含むスケジューリングメッセージを取得する少なくとも１つのアンテナと、
前記スケジューリングメッセージが前記担当基地局に対応する場合、前記担当基地局に対する、ＡＴにより向けられるアップリンクのスケジューリングを容易にする報告モジュールと
を具備し、ここにおいて、前記担当基地局への前記アップリンク通信は、前記非担当ワイヤレスデバイスに関係付けられている１組のプロセッサによって前記ＡＴに対して割り当てられ、前記ＡＴを担当するセル、または、それに隣接したセル、に関して取得されたワイヤレスチャネルデータに基づいている、装置。
【請求項３６】
前記プロセッサは、前記スケジューリングメッセージをデコードして、そこから基地局ＩＤまたはＡＴのＩＤを抽出する請求項３５記載の装置。
【請求項３７】
前記基地局ＩＤが前記ワイヤレスネットワークの隣接セルに対応する場合、前記報告モジュールは、前記スケジューリングメッセージを隣接セルのＡＰに転送する請求項３６記載の装置。
【請求項３８】
前記基地局ＩＤが前記担当基地局に対応する場合、前記報告モジュールは、前記スケジューリングメッセージを前記担当基地局に転送する請求項３６記載の装置。
【請求項３９】
前記ＡＴのＩＤが前記装置に対応する場合、前記プロセッサは、送信機を用いて前記アップリンクの割当てを実現する請求項３６記載の装置。
【請求項４０】
前記装置に対してワイヤレスチャネルデータ、移動性データを提供すること、または、前記非担当ワイヤレスノードに対してアップリンク送信ダイバーシティデータを提供することをさらに含み、前記アップリンク通信は、少なくともそのような１つのデータに基づいている請求項３５記載の装置。
【請求項４１】
前記スケジューリングメッセージをデコードして、そこから移動性命令を抽出する移動性モジュールをさらに具備する請求項３５記載の装置。
【請求項４２】
前記スケジューリングメッセージ中で指定されている複数アンテナ通信命令に基づいて、アップリンク送信ダイバーシティを実現する共用通信モジュールをさらに具備する請求項３５記載の装置。
【請求項４３】
前記装置は、前記ワイヤレスネットワークの担当セル内のＡＴであるか、または、ワイヤレス中継器である請求項３５記載の装置。
【請求項４４】
前記非担当ワイヤレスデバイスは、前記ワイヤレスネットワーク内の、マイクロセル、ピコセル、またはフェムトセルに対して、集中化したアップリンクスケジューリングを提供するマクロオーバーレイ基地局であり、前記マイクロセル、ピコセル、またはフェムトセルは、前記マクロオーバーレイによって担当されていない請求項３５記載の装置。
【請求項４５】
前記スケジューリングメッセージをデコードして、前記装置に関係するトラフィックフローに対する優先順位、または、干渉ワイヤレスデバイスに関係するトラフィックフローに対する優先順位を取得する調停モジュールをさらに具備し、
前記調停モジュールは、
前記装置の優先順位または干渉の優先順位に基づいて、前記アップリンク通信の割当てに従い、前記アップリンク通信の割当てを、修正し、または無視すること、あるいは、
前記装置の優先順位または干渉の優先順位に少なくとも部分的に基づいて、ネットワークにより向けられるアップリンクスケジューリングのために、前記デコードされた優先順位を前記担当基地局に転送すること、のうちの少なくとも１つを実行する請求項３５記載の装置。
【請求項４６】
ワイヤレスネットワーク中のワイヤレス通信を容易にする装置において、
少なくとも１つのプロセッサを用いて、前記ワイヤレスネットワーク内の、担当基地局と、非担当ワイヤレスデバイスとの、それぞれのワイヤレス信号を分析する手段と、
少なくとも１つのアンテナを用いて、前記非担当ワイヤレスデバイスから、前記ワイヤレスネットワークのＡＴに対する前記担当基地局へのアップリンク通信の割当てを含むスケジューリングメッセージを取得する手段と、
前記スケジューリングメッセージにおいて識別される、前記ワイヤレスネットワークの担当セル内での前記ＡＴに対する前記担当基地局への前記アップリンク通信の割当ての実現を容易にする手段と
を具備し、ここにおいて、前記担当基地局への前記アップリンク通信は、前記非担当ワイヤレスデバイスに関係付けられている１組のプロセッサによって前記ＡＴに対して割り当てられ、前記ワイヤレスネットワークの前記担当セル、または、それに隣接したセル、に関して取得されたワイヤレスチャネルデータに基づいている、装置。
【請求項４７】
ワイヤレスネットワーク中のワイヤレス通信を容易にするように構成されている少なくとも１つのプロセッサにおいて、
前記ワイヤレスネットワーク内の、担当基地局と、非担当ワイヤレスデバイスとの、それぞれのワイヤレス信号を分析する第１のモジュールと、
前記非担当ワイヤレスデバイスから、前記ワイヤレスネットワークのＡＴに対する前記担当基地局へのアップリンク通信の割当てを含むスケジューリングメッセージを取得する第２のモジュールと、
前記スケジューリングメッセージにおいて識別される、前記ワイヤレスネットワークの担当セル内での前記ＡＴに対する前記担当基地局への前記アップリンク通信の割当ての実現を容易にする第３のモジュールと
を具備し、ここにおいて、前記担当基地局への前記アップリンク通信は、前記非担当ワイヤレスデバイスに関係付けられている１組のプロセッサによって前記ＡＴに対して割り当てられ、前記ワイヤレスネットワークの前記担当セル、または、それに隣接したセル、に関して取得されたワイヤレスチャネルデータに基づいている、少なくとも１つのプロセッサ。
【請求項４８】
コンピュータ読取り可能記憶媒体において、
コンピュータに、ワイヤレスネットワーク内の、担当基地局と、非担当ワイヤレスデバイスとの、それぞれのワイヤレス信号を分析させるための第１の組のコードと、
前記コンピュータに、前記非担当ワイヤレスデバイスから、前記ワイヤレスネットワークのＡＴに対する前記担当基地局へのアップリンク通信の割当てを含むスケジューリングメッセージを取得させるための第２の組のコードと、
前記コンピュータに、前記スケジューリングメッセージにおいて識別される、前記ワイヤレスネットワークの担当セル内での前記ＡＴに対する前記担当基地局への前記アップリンク通信の割当ての実現を容易にさせるための第３の組のコードと
を含み、ここにおいて、前記担当基地局への前記アップリンク通信は、前記非担当ワイヤレスデバイスに関係付けられている１組のプロセッサによって前記ＡＴに対して割り当てられ、前記ワイヤレスネットワークの前記担当セル、または、それに隣接したセル、に関して取得されたワイヤレスチャネルデータに基づいている、コンピュータ読取り可能記憶媒体。